【手続補正書】
【提出日】平成23年11月11日(2011.11.11)
【手続補正１】
【補正対象書類名】特許請求の範囲
【補正対象項目名】全文
【補正方法】変更
【補正の内容】
【特許請求の範囲】
【請求項１】
第１の双方向番組ガイドが実装されている第１のユーザ機器デバイスであって、前記第１のユーザ機器デバイスは、第２の双方向番組ガイドが実装されている第２のユーザ機器デバイスを含むシステムにおいて用いられるものであり、
前記第１のユーザ機器デバイスは、
前記第１の双方向番組ガイド上の番組ガイド設定を調整するユーザ入力を受信することであって、前記ユーザ入力は、前記第１の双方向番組ガイドを用いる入力である、ことと、
前記第１の双方向番組ガイドが前記第２の双方向番組ガイドと通信することができるようにすることであって、前記第１の双方向番組ガイド上の調整された番組ガイド設定に対応する前記第２の双方向番組ガイド上の番組ガイド設定は、前記第１の双方向番組ガイド上の調整された番組ガイド設定に一致するように調整される、ことと
を行うように構成されている、第１のユーザ機器デバイス。
【請求項２】
前記第１のユーザ機器デバイスは、複数のユーザ機器デバイスを含むシステムにおいて用いられるものであり、
前記第１のユーザ機器デバイスは、前記複数のユーザ機器デバイスのうちの第１のユーザ機器デバイスであり、前記第２のユーザ機器デバイスは、前記複数のユーザ機器デバイスのうちの第２のユーザ機器デバイスであり、前記第１のユーザ機器デバイスは、前記第１の双方向番組ガイドを用いて、番組ガイド設定が調整されることになる前記第２の双方向番組ガイドの選択を可能にするようにさらに構成されている、請求項１に記載の第１のユーザ機器デバイス。
【請求項３】
前記番組ガイド設定は、ユーザによって選択された前記第２の双方向番組ガイド上で調整される、請求項２に記載の第１のユーザ機器デバイス。
【請求項４】
前記番組ガイド設定は、デフォルトによって選択された前記第２の双方向番組ガイド上で調整される、請求項２に記載の第１のユーザ機器デバイス。
【請求項５】
前記番組ガイド設定は、他の要因に基づいて選択された前記第２の双方向番組ガイド上で調整される、請求項２に記載の第１のユーザ機器デバイス。
【請求項６】
前記第１のユーザ機器デバイスおよび前記第２のユーザ機器デバイスは、セットトップボックスを含む、請求項１に記載の第１のユーザ機器デバイス。
【請求項７】
前記調整された番組ガイド設定は、ペアレンタルコントロール設定を含む、請求項１に記載の第１のユーザ機器デバイス。
【請求項８】
前記調整された番組ガイド設定は、お気に入りを含む、請求項１に記載の第１のユーザ機器デバイス。
【請求項９】
前記調整された番組ガイド設定は、録画設定を含む、請求項１に記載の第１のユーザ機器デバイス。
【請求項１０】
前記調整された番組ガイド設定は、ペイパービュー設定を含む、請求項１に記載の第１のユーザ機器デバイス。
【請求項１１】
前記調整された番組ガイド設定は、メッセージ設定を含む、請求項１に記載の第１のユーザ機器デバイス。
【請求項１２】
前記調整された番組ガイド設定は、セットアップ設定を含む、請求項１に記載の第１のユーザ機器デバイス。
【請求項１３】
前記第１のユーザ機器デバイスは、一次ユーザ機器デバイスであり、前記複数のユーザ機器デバイスのうちの他のユーザ機器デバイスは、二次ユーザ機器デバイスである、請求項２に記載の第１のユーザ機器デバイス。
【請求項１４】
通信経路が、前記第２のユーザ機器デバイスを前記第１のユーザ機器デバイスに接続する、請求項１３に記載の第１のユーザ機器デバイス。
【請求項１５】
通信経路が、前記第１のユーザ機器デバイスと前記第２のユーザ機器デバイスとをツリートポロジーで接続する、請求項１に記載の第１のユーザ機器デバイス。
【請求項１６】
通信経路が、前記第１のユーザ機器デバイスと前記第２のユーザ機器デバイスとをリングトポロジーで接続する、請求項１に記載の第１のユーザ機器デバイス。
【請求項１７】
通信経路が、前記第１のユーザ機器デバイスと前記第２のユーザ機器デバイスとをバストポロジーで接続する、請求項１に記載の第１のユーザ機器デバイス。
【請求項１８】
前記第１のユーザ機器デバイスと前記第２のユーザ機器デバイスとは、単一の世帯に配置されており、前記世帯は、家を含み、前記システムは、前記世帯内にサーバを含み、前記第１のユーザ機器デバイスと前記第２のユーザ機器デバイスとは、クライアント−サーバ双方向番組ガイド構成で前記サーバに接続されている、請求項１に記載の第１のユーザ機器デバイス。
【請求項１９】
前記第１のユーザ機器デバイスは、セットトップボックスとテレビとを含み、前記第２のユーザ機器デバイスは、テレビを含むが、セットトップボックスを含まず、前記第１のユーザ機器デバイスおよび前記第２のユーザ機器デバイスのそれぞれは、前記セットトップボックスと相互接続されている、請求項１に記載の第１のユーザ機器デバイス。
【請求項２０】
前記第１のユーザ機器デバイスと前記第２のユーザ機器デバイスとは、単一の世帯に配置されており、前記世帯は、第１の家と第２の家とを含み、前記第１のユーザ機器デバイスは、前記第１の家に配置されており、前記第２のユーザ機器デバイスは、前記第２の家に配置されている、請求項１に記載の第１のユーザ機器デバイス。
【請求項２１】
前記第１のユーザ機器デバイスは、前記第１の双方向番組ガイドを用いて位置割当て画面を表示するようにさらに構成されている、請求項１に記載の第１のユーザ機器デバイス。
【請求項２２】
前記第１のユーザ機器デバイスと前記第２のユーザ機器デバイスとは、単一の世帯に配置されており、前記世帯は、複数の部屋を有する家を含み、第１の部屋は、前記第１のユーザ機器デバイスを含み、第２の部屋は、前記第２のユーザ機器デバイスを含み、前記第１の双方向番組ガイドは、特定の部屋を選択することによって前記番組ガイド設定が調整されることになる前記第２の双方向番組ガイドの選択を可能にするように構成されている、請求項１に記載の第１のユーザ機器デバイス。
【請求項２３】
前記第１のユーザ機器デバイスは、前記第１の双方向番組ガイドを用いて、前記第２の双方向番組ガイドにおけるユーザの視聴を前記ユーザが監視することを可能にするようにさらに構成されている、請求項１に記載の第１のユーザ機器デバイス。
【請求項２４】
前記調整された番組ガイド設定は、最大限のレーティングが可能な設定を含む、請求項１に記載の第１のユーザ機器デバイス。
【請求項２５】
前記複数のユーザ機器デバイスは、単一の世帯に配置されており、前記調整された番組ガイド設定は、ペイパービュー設定を含み、
前記第１のユーザ機器デバイスは、前記第１の双方向番組ガイドを用いて、前記他のユーザ機器デバイスのそれぞれにおいてペイパービュー番組を表示することに関連づけられた費用に関する情報を表示するようにさらに構成されている、請求項１に記載の第１のユーザ機器デバイス。
【請求項２６】
前記第１のユーザ機器デバイスは、前記第１の双方向番組ガイドを用いて、前記第２の双方向番組ガイドにおいて視聴者にメッセージを送信するように構成されている、請求項１に記載の第１のユーザ機器デバイス。
【請求項２７】
前記調整された番組ガイド設定は、チャンネル設定を含む、請求項１に記載の第１のユーザ機器デバイス。
【請求項２８】
前記第１のユーザ機器デバイスは、前記第１の双方向番組ガイドを用いて、前記第２の双方向番組ガイドにおいてユーザの視聴を監視することができないように構成されている、請求項１に記載の第１のユーザ機器デバイス。
【請求項２９】
第１の双方向番組ガイドが実装されている第１のユーザ機器デバイスのための方法であって、前記第１のユーザ機器デバイスは、第２の双方向番組ガイドが実装されている第２のユーザ機器デバイスを含むシステムにおいて用いられるものであり、
前記方法は、
前記第１のユーザ機器デバイスが、前記第１の双方向番組ガイド上の番組ガイド設定を調整するユーザ入力を受信することであって、前記ユーザ入力は、前記第１の双方向番組ガイドを用いる入力である、ことと、
前記第１のユーザ機器デバイスが、前記第１の双方向番組ガイドが前記第２の双方向番組ガイドと通信することができるようにすることであって、前記第１の双方向番組ガイド上の調整された番組ガイド設定に対応する前記第２の双方向番組ガイド上の番組ガイド設定は、前記第１の双方向番組ガイド上の調整された番組ガイド設定に一致するように調整される、ことと
を含む、方法。
【請求項３０】
複数のユーザ機器デバイスをさらに含み、
前記第１のユーザ機器デバイスは、前記複数のユーザ機器デバイスのうちの第１のユーザ機器デバイスであり、前記第２のユーザ機器デバイスは、前記複数のユーザ機器デバイスのうちの第２のユーザ機器デバイスであり、前記第１のユーザ機器デバイスは、前記調整された番組ガイド設定が調整されることになる前記第２の双方向番組ガイドの選択を可能にするようにさらに構成されている、請求項２９に記載の方法。
【請求項３１】
前記選択は、前記第１の双方向番組ガイドを用いてなされるユーザ選択に応答するものである、請求項３０に記載の方法。
【請求項３２】
前記選択は、前記調整された番組ガイド設定が調整されることになる前記第２の双方向番組ガイドのデフォルト選択である、請求項３０に記載の方法。
【請求項３３】
他の要因が、前記調整された番組ガイド設定が調整されることになる前記第２の双方向番組ガイドを選択するために用いられる、請求項３０に記載の方法。
【請求項３４】
前記第１のユーザ機器デバイスおよび前記第２のユーザ機器デバイスは、セットトップボックスを含む、請求項２９に記載の方法。
【請求項３５】
前記調整された番組ガイド設定は、ペアレンタルコントロール設定を含む、請求項２９に記載の方法。
【請求項３６】
前記調整された番組ガイド設定は、お気に入りを含む、請求項２９に記載の方法。
【請求項３７】
前記調整された番組ガイド設定は、録画設定を含む、請求項２９に記載の方法。
【請求項３８】
前記調整された番組ガイド設定は、ペイパービュー設定を含む、請求項２９に記載の方法。
【請求項３９】
前記調整された番組ガイド設定は、メッセージ設定を含む、請求項２９に記載の方法。
【請求項４０】
前記調整された番組ガイド設定は、セットアップ設定を含む、請求項２９に記載の方法。
【請求項４１】
前記第１のユーザ機器デバイスは、一次ユーザ機器デバイスであり、前記他のユーザ機器デバイスのそれぞれは、二次ユーザ機器デバイスである、請求項２９に記載の方法。
【請求項４２】
通信経路が、前記第２のユーザ機器デバイスを前記第１のユーザ機器デバイスに接続する、請求項４１に記載の方法。
【請求項４３】
通信経路が、前記第１のユーザ機器デバイスと前記第２のユーザ機器デバイスとをツリートポロジーで接続するように構成されている、請求項２９に記載の方法。
【請求項４４】
通信経路が、前記第１のユーザ機器デバイスと前記第２のユーザ機器デバイスとをリングトポロジーで接続するように構成されている、請求項２９に記載の方法。
【請求項４５】
通信経路が、前記第１のユーザ機器デバイスと前記第２のユーザ機器デバイスとをバストポロジーで接続するように構成されている、請求項２９に記載の方法。
【請求項４６】
前記第１のユーザ機器デバイスと前記第２のユーザ機器デバイスとは、単一の世帯に配置されており、前記世帯は、家を含み、前記システムは、前記世帯内にサーバをさらに含み、前記第１のユーザ機器デバイスと前記第２のユーザ機器デバイスとは、クライアント−サーバ双方向番組ガイド構成で該サーバに接続されている、請求項２９に記載の方法。
【請求項４７】
前記第１のユーザ機器デバイスは、セットトップボックスとテレビとを含み、前記第２のユーザ機器デバイスは、テレビを含むが、セットトップボックスを含まず、前記第１のユーザ機器デバイスおよび前記第２のユーザ機器デバイスのそれぞれは、前記セットトップボックスと相互接続されている、請求項２９に記載の方法。
【請求項４８】
前記第１のユーザ機器デバイスと前記第２のユーザ機器デバイスとは、単一の世帯に配置されており、前記世帯は、複数の家のうちの１つの家を含み、前記システムは、該複数の家の外部に配置されているサーバをさらに含み、前記サーバは、双方向番組ガイド機能を前記複数の家に提供するように構成されている、請求項２９に記載の方法。
【請求項４９】
前記第１のユーザ機器デバイスと前記第２のユーザ機器デバイスとは、単一の世帯に配置されており、前記世帯は、第１の家と第２の家とを含み、前記第１のユーザ機器デバイスは、前記第１の家に配置されており、前記第２のユーザ機器デバイスは、前記第２の家に配置されている、請求項２９に記載の方法。
【請求項５０】
前記第１のユーザ機器デバイスが、前記第１の双方向番組ガイドを用いて、位置割当て画面を表示することをさらに含む、請求項２９に記載の方法。
【請求項５１】
前記第１のユーザ機器デバイスと前記第２のユーザ機器デバイスとは、単一の世帯に配置されており、前記世帯は、複数の部屋を有する家を含み、第１の部屋は、前記第１のユーザ機器デバイスを含み、第２の部屋は、前記第２のユーザ機器デバイスを含み、前記第１の双方向番組ガイドは、特定の部屋を選択することによって前記番組ガイド設定が調整されることになる前記第２の双方向番組ガイドの選択を可能にするように構成されている、請求項２９に記載の方法。
【請求項５２】
前記第１のユーザ機器デバイスが、前記第１の双方向番組ガイドを用いて、前記第２の双方向番組ガイドにおけるユーザの視聴を監視することをさらに含む、請求項２９に記載の方法。
【請求項５３】
前記調整された番組ガイド設定は、最大限のレーティングが可能な設定を含む、請求項２９に記載の方法。
【請求項５４】
前記第１のユーザ機器デバイスと前記第２のユーザ機器デバイスとは、単一の世帯に配置されており、前記調整された番組ガイド設定は、ペイパービュー設定を含み、
前記第１のユーザ機器デバイスは、前記第１の双方向番組ガイドを用いて、前記他のユーザ機器デバイスのそれぞれにおいてペイパービュー番組を表示することに関連づけられた費用に関する情報を表示するようにさらに構成されている、請求項２９に記載の方法。
【請求項５５】
前記第１のユーザ機器デバイスが、前記第１の双方向番組ガイドを用いて、前記第２の双方向番組ガイドにおいて視聴者にメッセージを送信することをさらに含む、請求項２９に記載の方法。
【請求項５６】
前記第１のユーザ機器デバイスが、チャンネル設定をリモート位置において調整することをさらに含む、請求項２９に記載の方法。
【請求項５７】
前記第１のユーザ機器デバイスが、前記第１の双方向番組ガイドを用いて、選択された位置の監視をできないようにすることをさらに含む、請求項２９に記載の方法。